【手続補正書】
【提出日】平成24年7月31日(2012.7.31)
【手続補正１】
【補正対象書類名】明細書
【補正対象項目名】全文
【補正方法】変更
【補正の内容】
【発明の詳細な説明】
【発明の名称】直方体形状包装パッケージ
【技術分野】
【０００１】  本発明は、ひと口サイズのブロック型形状のガム・キャンディ等の個別包装タイプの製品を、複数個直列に収納して構成される包装体の直方体形状包装パッケージに関するものである。
【背景技術】
【０００２】  ひと口サイズの個別包装されたブロック型形状のガム・キャンディ等の製品は、複数個を直列に並べて、直方体形状に包装された状態で収納されている。これらの直方体形状包装パッケージには、『あけくち』が付帯されており、それを引っ張ることで容易に開封できる。
【発明の概要】
【発明が解決しようとする課題】
【０００３】  従来タイプの『あけくち』は、板状形状のガム、キャンディ等を収納する直方体形状包装パッケージにおいては、『あけくち』より開封した切り口の断面に対して上下方向に重ねた状態で収納される製品の場合、すべてを均一に取り出すには、非常に便利かつ有効的であるが、ブロック型形状のガム、キャンディ等を収納する直方体形状包装パッケージにおいては、『あけくち』より開封した切り口の断面に対して前後方向、すなわち内部の製品の並びに沿って前後方向に直列に並べられた状態で収納される製品の場合、開封口付近の数個は容易に取り出せるが、それより先の部分に関しては、開封口より開封された後の切り口より直方体形状包装パッケージを徐々に破いて行きながら開封口を広げて、内部の製品を取り出さなければならない。【０００４】  その際に、不均等、不変則に破られた紙くずが、その都度ばらばらに発生する。
【課題を解決するための手段】
【０００５】  本発明は、前記のような問題点を解決すべく、紙もしくは、プラスチック、ビニール、アルミ等の複合体（貼り合わせ等）からなる従来タイプの直方体形状包装パッケージの片側先端寄り付近に設けられている『あけくち』の部分を、直方体形状包装パッケージの片側先端部分の壁面中央付近に、幅を広げて配置することとした。【０００６】  従来タイプの『あけくち』部分のサイズを数倍程度に拡大し、開封口先端から終端に至るまで、直方体形状包装パッケージ上部（天井）裏側の中央に、プラスチック製もしくはビニール製の帯状のテープを貼り、切り口を最後部まで美しく均等に開封するようにしたものである。【０００７】  『あけくち』を直方体形状包装パッケージの断面に沿って横幅方向に対して引っ張り開封する従来の開封方法とは異なり、内部の製品の並びに沿って縦方向、すなわち直方体形状包装パッケージを縦断しながら、取り出したい個数分のみ『あけくち』を引っ張りながら移動する開封方法である。
【発明の効果】
【０００８】  『あけくち』の部分を直方体形状包装パッケージの片側先端部分の壁面中央付近に、従来タイプの『あけくち』の数倍程度、幅を広げて配置した。これを、上向きに直方体形状包装パッケージ『あけくち』側壁面上部までめくり、『あけくち』を後方まで必要に応じて徐々に引っ張り開封して行く。取り出したい箇所までめくって引っ張って行けば、その都度必要な数の製品ひと粒ひと粒を容易かつ合理的に取り出すことができる。【０００９】  また、直方体形状包装パッケージのゴミの発生点数を抑えることができ、開封口の見栄えもよい。【００１０】  これにより、個別包装されたブロック型形状のガム・キャンディ等の製品ひと粒ひと粒を、容易かつ均一に取り出せるようになる。【００１１】  また、直方体形状包装パッケージ内部から製品を取り出す際に使用中の『あけくち』は、直方体形状包装パッケージ内部に残っている個別包装されたブロック型形状の製品底部と直方体形状包装パッケージ内側との隙間へ巻き込むことにより、内部に残された製品がばらばらに拡散することを防ぐことができるストッパー機能としての役割も果たす。
【図面の簡単な説明】
【００１２】
【図１】本発明に係る『あけくち』３を有する直方体形状包装パッケージの完成を示す斜視図である。
【図２】図１に示す『あけくち』３を有する直方体形状包装パッケージを形成する板状の包装紙内側（内部）の展開図である。
【図３】図１と同じく、『あけくち』３を有する直方体形状包装パッケージの内部を透視した斜視図である。
【図４】図１および図３に示す直方体形状包装パッケージの６方向と反対側７方向から『あけくち』３を有する直方体形状包装パッケージの内部を透視した斜視図である。
【図５】図１および図３に示す直方体形状包装パッケージと同じ６方向より、直方体形状包装パッケージの上下を逆さまにして、『あけくち』３を有する直方体形状包装パッケージの内部を透視した斜視図である。
【図６】図２と同じく、『あけくち』３を有する直方体形状包装パッケージを形成する板状の包装紙外側（外部）の展開図である。
【図７】『あけくち』３を有する直方体形状包装パッケージの『あけくち』３側壁面の図１、図３に示す６方向からの正面図である。
【図８】図７に示す『あけくち』３側壁面と反対側壁面の直方体形状包装パッケージの図３、図４に示す７方向からの正面図である。
【図９】本発明に係る『あけくち』３を別方向へ移動させた場合、『あけくち』４０を有する直方体形状包装パッケージの完成を示す斜視図である。
【図１０】本発明に係る『あけくち』３を別方向へ移動させた場合、図９に示す『あけくち』４０を有する直方体形状包装パッケージを形成する板状の包装紙内側（内部）の展開図である。
【図１１】図１０と同じく、『あけくち』４０を有する直方体形状包装パッケージを形成する板状の包装紙外側（外部）の展開図である。
【図１２】本発明に係る『あけくち』３を別方向へ移動させた場合、『あけくち』４０を有する直方体形状包装パッケージの『あけくち』４０側壁面の図９に示す６方向からの正面図である。
【図１３】図１２に示す『あけくち』４０側壁面と反対側壁面の直方体形状包装パッケージの図９に示す７方向からの正面図である。
【図１４】本発明に係る『あけくち』４０を図９に示す同じ壁面の対称となる反対側方向へ移動させた場合、『あけくち』４２を有する直方体形状包装パッケージの完成を示す斜視図である。
【図１５】本発明に係る『あけくち』３を別方向へ移動させた場合、図１４に示す『あけくち』４２を有する直方体形状包装パッケージを形成する板状の包装紙内側（内部）の展開図である。
【図１６】図１５と同じく、『あけくち』４２を有する直方体形状包装パッケージを形成する板状の包装紙外側（外部）の展開図である。
【図１７】本発明に係る『あけくち』３を別方向へ移動させた場合、『あけくち』４２を有する直方体形状包装パッケージの『あけくち』４２側壁面の図１４に示す６方向からの正面図である。
【図１８】図１７に示す『あけくち』４２側壁面と反対側壁面の直方体形状包装パッケージの図１４に示す７方向からの正面図である。
【図１９】本発明に係る『あけくち』３を別方向へ移動させた場合、『あけくち』４４を有する直方体形状包装パッケージの完成を示す斜視図である。
【図２０】本発明に係る『あけくち』３を別方向へ移動させた場合、図１９に示す『あけくち』４４を有する直方体形状包装パッケージを形成する板状の包装紙内側（内部）の展開図である。
【図２１】図２０と同じく、『あけくち』４４を有する直方体形状包装パッケージを形成する板状の包装紙外側（外部）の展開図である。
【図２２】本発明に係る『あけくち』３を別方向へ移動させた場合、『あけくち』４４を有する直方体形状包装パッケージの『あけくち』４４側壁面の図１９に示す６方向からの正面図である。
【図２３】図２２に示す『あけくち』４４側壁面と反対側壁面の直方体形状包装パッケージの図１９に示す７方向からの正面図である。
【図２４】本発明に係る『あけくち』４４を図１９に示す同じ壁面の対称となる反対側方向へ移動させた場合、『あけくち』４６を有する直方体形状包装パッケージの完成を示す斜視図である。
【図２５】本発明に係る『あけくち』３を別方向へ移動させた場合、図２４に示す『あけくち』４６を有する直方体形状包装パッケージを形成する板状の包装紙内側（内部）の展開図である。
【図２６】図２５と同じく、『あけくち』４６を有する直方体形状包装パッケージを形成する板状の包装紙外側（外部）の展開図である。
【図２７】本発明に係る『あけくち』３を別方向へ移動させた場合、『あけくち』４６を有する直方体形状包装パッケージの『あけくち』４６側壁面の図２４に示す６方向からの正面図である。
【図２８】図２７に示す『あけくち』４６側壁面と反対側壁面の直方体形状包装パッケージの図２４に示す７方向からの正面図である。
【発明を実施するための形態】
【００１３】  以下、本発明の実施例について、図面を参照して詳細に説明する。
【００１４】  図１は、本発明に係る直方体形状包装パッケージの実施例を示す斜視図である。
【００１５】  図１に示されるように、直方体形状包装パッケージ１は、断面が長方形をした角筒状の胴部２を有する直方体形状を成している。胴部２の片側先端部分の壁面中央付近には、内部の製品を開封して取り出すための『あけくち』３を備えている。
【００１６】直方体形状包装パッケージ１は、図２にその展開図を示す板状の包装紙１０により、製品を包み込むように包装する。この板状の包装紙１０は、４つの筒壁１１，１２，１３，１４と接着片１５が折線Ａ，Ｂ，Ｃ，Ｄを介して横方向に連設している。
【００１７】  図２に示す筒壁１１のｇ線部分までがのりしろで、筒壁１１のｇ線と接着片１５の端をそろえて貼り合わせ、図５に示す筒壁３０を形成する。正確には、図６に示す筒壁１１のｇ′までのり付けされ、この部分に、図６に示す接着片１５の裏面、すなわち図２に示す接着片１５と貼り合わす。
【００１８】  次に、図１、図３に示す『あけくち』３側を正面の６方向から見て、図２に示す１６ｂと１６ｂ′を貼り合わせた部分が１６となる。この１６を先に上方向に折り込み、続いて１７を下方向へ１６の上にかぶさるように折り込み、貼り合わせる。
【００１９】  次に、１６と１７を貼り合わせた際に生じる余りの部分を、三角形となるように折り曲げ形成された１８と１９を、１６と１７を貼り合わせた壁面の上に貼り合わせ、図１、図３、図７に示す『あけくち』３側の６方向側の先端部分の壁面が完成する。
【００２０】  同様に、図１、図３、図４に示す『あけくち』３側と反対側正面の７方向から見て、図２に示す２０ａと２０ａ′を貼り合わせた部分が２０となる。この２０を先に上方向に折り込み、続いて２１を下方向へ２０の上にかぶさるように折り込み、貼り合わせる。
【００２１】  次に、２０と２１を貼り合わせた際に生じる余りの部分を、三角形となるように折り曲げ形成された２２と２３を、２０と２１を貼り合わせた壁面の上に貼り合わせ、図４、図８に示す『あけくち』３側の反対側にあたる７方向側の先端部分の壁面が完成する。
【００２２】  図２、図４、図６、図８に示す５の部分は、図１、図２、図３、図６、図７に示す１７部分にある『あけくち』３の形成途上で生じた『あけくち』３側と反対側２１部分に発生するへこみである。
【００２３】  図２に示す展開図は、図１、図３に示す『あけくち』３を有する直方体形状包装パッケージ１の内側（内部）で製品を包み込む側を表し、Ａ，Ｂ，Ｃ，Ｄ，Ｅ，Ｆ，Ｇ，Ｈ，Ｉ，Ｊ，Ｋ，Ｌ，Ｍ，Ｎ，Ｏ，Ｐ，Ｑ，Ｒ，Ｓ，Ｔ，Ｕ，Ｖは、すべて折線を表し、谷折りとなる。Ｗ１，Ｗ２，Ｘ１、Ｘ２，Ｙ１，Ｙ２，Ｚ１，Ｚ２は、すべて折線を表し、山折りとなる。
【００２４】  図６に示す展開図は、図１、図３に示す『あけくち』３を有する直方体形状包装パッケージ１の外側（外部）で図２に示す板状の包装紙１０の裏側の面を表し、Ａ′，Ｂ′，Ｃ′，Ｄ′，Ｅ′，Ｆ′，Ｇ′，Ｈ′，Ｉ′，Ｊ′，Ｋ′，Ｌ′，Ｍ′，Ｎ′，Ｏ′，Ｐ′，Ｑ′，Ｒ′，Ｓ′，Ｔ′，Ｕ′，Ｖ′は、すべて折線を表し、山折りとなる。Ｗ′１，Ｗ′２、Ｘ′１，Ｘ′２，Ｙ′１，Ｙ′２，Ｚ′１，Ｚ′２は、すべて折線を表し、谷折りとなる。
【００２５】開封途中で切れたり破れたりすること無く、更に切り口をきれいにカットすることが可能となり、直方体形状包装パッケージ１内部の製品を容易に取り出せるようにするため、プラスチック製もしくはビニール製の帯状になったシート状テープ５０を図２に示す。このシート状テープ５０は、直方体形状包装パッケージ１内側の天井部分となる筒壁１３の裏側部分へ、図１、図３、図４に示す点線部分で帯状に表した開封予定切り口４と同じ位置に貼り合わせたものである。
【００２６】直方体形状包装パッケージ１内部から製品を取り出す際は、図１、図３、図７に示す『あけくち』３の部分を直方体形状包装パッケージ１の『あけくち』３側壁面上方へ引っ張り上げて、その後取り出したい内部の製品の長さ分だけ後方へめくり、中の製品を取り出す。
【００２７】  図２に示すシート状テープ５０の横幅は、製品の種類、形状、大きさ、直方体形状包装パッケージ１に包装される製品の個数等に応じて、より細かくそれぞれの製品の状況に合った取り出しやすい切り口となるよう、横幅をその都度選択し、適宜変更して決定すればよい。
【００２８】図１、図３に示す『あけくち』３を図５に示す筒壁３０側への設置は、図２、図６に示すように、筒壁１１と接着片１５を貼り合わせた部分から成る筒壁３０は、開封部分が分厚くなり開封しにくくなるため、『あけくち』３ならびにシート状テープ５０の設置は適切ではない。
【００２９】図１、図３、図７に示す『あけくち』３の部分を、図１９、図２０、図２１に示す筒壁１２方向へ移動して、図１９、図２２に示すように、１８部分をそのまま『あけくち』として使用して、この部分へは接着、のり付け固定せず、１８部分の三角形の形状部分を『あけくち』３の代わりに使用することで、『あけくち』３を形成せず、図１９、図２２に示すように、１８部分を『あけくち』４４としてそのまま使用することが可能である。この時、シート状テープ５０も筒壁１２方向へ移動して、図１９、図２０に示す位置となり、シート状テープ５３とする。
【００３０】同様に、図１、図３、図７に示す『あけくち』３部分を、図２４、図２５、図２６に示す筒壁１４方向へ移動して、図２４、図２７に示すように１９部分をそのまま『あけくち』として使用して、この部分へは接着、のり付け固定せず、１９部分の三角形の形状部分を『あけくち』３の代わりに使用することで、『あけくち』３を形成せず、図２４、図２７に示すように、１９部分を『あけくち』４６としてそのまま使用することが可能である。この時、シート状テープ５０も筒壁１４方向へ移動して、図２４、図２５に示す位置となり、シート状テープ５４とする。
【００３１】『あけくち』４４は、図１９、図２０、図２１に示すように筒壁１２に対しての開封口となり、『あけくち』４６は、図２４、図２５、図２６に示すように筒壁１４に対しての開封口となる。
【００３２】『あけくち』をひと目見てわかりやすくするため、『あけくち』４４を図９、図１２に示すように『あけくち』４０、『あけくち』４６を図１４、図１７に示すように『あけくち』４２にそれぞれ形状を変更して使用することも可能である。
【００３３】『あけくち』４０は、図９、図１０、図１１に示すように筒壁１２に対しての開封口となり、『あけくち』４２は、図１４、図１５、図１６に示すように筒壁１４に対しての開封口となる。
【００３４】図１９、図２２に示す『あけくち』４４部分をわかりやすいように、丸型にカットして『あけくち』４０を形成する場合、図１０および図１１に示すように、板状の包装紙１０の４１部分のみをカットする。この『あけくち』４０では、４０部分の形成時に４１部分をカットする際には、『あけくち』４０側と反対側２３部分のへこみは発生しない。
【００３５】図９、図１２に示す『あけくち』４０を形成する場合、図１０の４１部分を先にカットしてのり付け形成する方法と、図１、図３、図７に示す１８部分をのり付け形成後に、筒壁１２から延びる１８部分と、図１、図３、図９に示す直方体形状包装パッケージ１を６方向から見た１６と１７をはり合わせた壁面とをのり付け固定せず、形成後の三角形である１８部分をそのまま丸型に打ち抜く方法で『あけくち』４０を形成する方法がある。
【００３６】  同様に、図２４、図２７に示す『あけくち』４６部分をわかりやすいように、丸型にカットして『あけくち』４２を形成する場合、図１５および図１６に示すように、板状包装紙１０の４３部分のみをカットする。この『あけくち』４２では、４２部分の形成時に４３部分をカットする際には、『あけくち』４２側と反対側２２部分のへこみは発生しない。
【００３７】図１４、図１７に示す『あけくち』４２を形成する場合、図１５に示す４３部分を先にカットしてのり付け形成する方法と、図１、図３、図７に示す１９部分をのり付け形成後に、筒壁１４から延びる１９部分と、図１、図３、図１４に示す直方体形状包装パッケージ１を６方向から見た１６と１７をはり合わせた壁面とをのり付け固定せず、形成後の三角形である１９部分をそのまま丸型に打ち抜く方法で『あけくち』４２を形成する方法がある。
【００３８】図２０に示す展開図は、図１９、図２２に示す『あけくち』４４を有する直方体形状包装パッケージ１の内側（内部）で製品を包み込む側を表し、ａ，ｂ，ｃ，ｄ，ｅ，ｆ，ｇ，ｈ，ｉ，ｊ，ｋ，ｌ，ｍ，ｎ，ｏ，ｐ，ｑ，ｒ，ｓ，ｔ，ｕ，ｖは、すべて折線を表し、谷折りとなる。ｗ１，ｗ２，ｘ１，ｘ２，ｙ１，ｙ２，ｚ１，ｚ２は、すべて折線を表し、山折りとなる。
【００３９】図２１に示す展開図は、『あけくち』４４を有する直方体形状包装パッケージ１の外側（外部）で図２０に示す板状の包装紙１０の裏側の面を表し、ａ′，ｂ′，ｃ′，ｄ′，ｅ′，ｆ′，ｇ′，ｈ′，ｉ′、ｊ′，ｋ′，ｌ′，ｍ′，ｎ′，ｏ′，ｐ′，ｑ′，ｒ′，ｓ′，ｔ′，ｕ′，ｖ′は、すべて折線を表し、山折りとなる。ｗ′１，ｗ′２，ｘ′１，ｘ′２，ｙ′１，ｙ′２，ｚ′１，ｚ′２は、すべて折線を表し、谷折りとなる。
【００４０】図２５に示す展開図は、図２４、図２７に示す『あけくち』４６を有する直方体形状包装パッケージ１の内側（内部）で製品を包み込む側を表し、ａ，ｂ，ｃ，ｄ，ｅ，ｆ，ｇ，ｈ，ｉ，ｊ，ｋ，ｌ，ｍ，ｎ，ｏ，ｐ，ｑ，ｒ，ｓ，ｔ，ｕ，ｖは、すべて折線を表し、谷折りとなる。ｗ１，ｗ２，ｘ１，ｘ２，ｙ１，ｙ２，ｚ１，ｚ２は、すべて折線を表し、山折りとなる。
【００４１】図２６に示す展開図は、『あけくち』４６を有する直方体形状包装パッケージ１の外側（外部）で図２５に示す板状の包装紙１０の裏側の面を表し、ａ′，ｂ′，ｃ′，ｄ′，ｅ′，ｆ′，ｇ′，ｈ′，ｉ′，ｊ′，ｋ′，ｌ′，ｍ′，ｎ′，ｏ′，ｐ′，ｑ′，ｒ′，ｓ′，ｔ′，ｕ′，ｖ′は、すべて折線を表し、山折りとなる。ｗ′１，ｗ′２，ｘ′１，ｘ′２，ｙ′１，ｙ′２，ｚ′１，ｚ′２は、すべて折線を表し、谷折りとなる。
【００４２】  図１０に示す展開図は、図９、図１２に示す『あけくち』４０を有する直方体形状包装パッケージ１の内側（内部）で製品を包み込む側を表し、ａ，ｂ，ｃ，ｄ，ｅ，ｆ，ｇ，ｈ，ｉ，ｊ，ｋ，ｌ，ｍ，ｎ，ｏ，ｐ，ｑ，ｒ，ｓ，ｔ，ｕ，ｖは、すべて折線を表し、谷折りとなる。ｗ１，ｗ２，ｘ１，ｘ２，ｙ１，ｙ２，ｚ１，ｚ２は、すべて折線を表し、山折りとなる。
【００４３】図１１に示す展開図は、『あけくち』４０を有する直方体形状包装パッケージ１の外側（外部）で図１０に示す板状の包装紙１０の裏側の面を表し、ａ′，ｂ′，ｃ′，ｄ′，ｅ′，ｆ′，ｇ′，ｈ′，ｉ′，ｊ′，ｋ′，ｌ′，ｍ′，ｎ′，ｏ′，ｐ′，ｑ′，ｒ′，ｓ′，ｔ′，ｕ′，ｖ′は、すべて折線を表し、山折りとなる。ｗ′１，ｗ′２，ｘ′１，ｘ′２，ｙ′１，ｙ′２，ｚ′１，ｚ′２は、すべて折線を表し、谷折りとなる。
【００４４】  図１５に示す展開図は、図１４、図１７に示す『あけくち』４２を有する直方体形状包装パッケージ１の内側（内部）で製品を包み込む側を表し、ａ，ｂ，ｃ，ｄ，ｅ，ｆ，ｇ，ｈ，ｉ，ｊ，ｋ，ｌ，ｍ，ｎ，ｏ，ｐ，ｑ，ｒ，ｓ，ｔ，ｕ，ｖは、すべて折線を表し、谷折りとなる。ｗ１，ｗ２，ｘ１，ｘ２，ｙ１，ｙ２，ｚ１，ｚ２は、すべて折線を表し、山折りとなる。
【００４５】  図１６に示す展開図は、『あけくち』４２を有する直方体形状包装パッケージ１の外側（外部）で図１５に示す板状の包装紙１０の裏側の面を表し、ａ′，ｂ′，ｃ′，ｄ′，ｅ′，ｆ′，ｇ′，ｈ′，ｉ′，ｊ，ｋ′，ｌ′，ｍ′，ｎ′，ｏ′，ｐ′，ｑ′，ｒ′，ｓ′，ｔ′，ｕ′，ｖ′は、すべて折線を表し、山折りとなる。ｗ′１，ｗ′２，ｘ′１，ｘ′２，ｙ′１，ｙ′２，ｚ′１，ｚ′２は、すべて折線を表し、谷折りとなる。
【符号の説明】
【００４６】１  直方体形状包装パッケージ
２  胴部
３  『あけくち』３
４  『あけくち』３より開封して内部の製品を取り出して行くための開封予定切り口
５  『あけくち』３の形成過程で生じた『あけくち』３側の１７部分と反対側の２１部分に発生するへこみ部分
６  『あけくち』側壁面の正面図
７  『あけくち』側壁面と反対側壁面の正面図
１０  板状の包装紙
１１  板状の包装紙１０を折り曲げて組み立てた際、筒壁１１となる部分
１２  板状の包装紙１０を折り曲げて組み立てた際、筒壁１２となる部分
１３  板状の包装紙１０を折り曲げて組み立てた際、筒壁１３となる部分
１４  板状の包装紙１０を折り曲げて組み立てた際、筒壁１４となる部分
１５  板状の包装紙１０を折り曲げて組み立てた際、筒壁１１と貼り合わせ、筒壁３０を形成するための接着片
１６  １６ｂと１６ｂ′を貼り合わせ、『あけくち』側の壁面下段側を形成するための片側部分
１７  １６の上方よりかぶさるように貼り合わせ、『あけくち』側の壁面上段側を形成するための片側部分
１８  １６と１７を貼り合わせた際に生じる余りの部分を三角形となるよう折り曲げ形成された部分
１９  １６と１７を貼り合わせた際に生じる余りの部分を三角形となるよう折り曲げ形成された部分で、１８と対にできる同じ壁面の向かい側対称部分
２０  ２０ａと２０ａ′を貼り合わせ、『あけくち』側と反対側の壁面下段側を形成するための片側部分
２１  ２０の上方よりかぶさるように貼り合わせ、『あけくち』側と反対側の壁面上段側を形成するための片側部分
２２  ２０と２１を貼り合わせた際に生じる余りの部分を三角形となるよう折り曲げ形成された部分
２３  ２０と２１貼り合わせた際に生じる余りの部分を三角形となるよう折り曲げ形成された部分で、２２と対にできる同じ壁面の向かい側対称部分
３０筒壁１１と接着片１５を貼り合わせた際にできる胴部の筒壁
４０直方体形状包装パッケージ１上部、筒壁１３の開封口となる『あけくち』３を筒壁１２の面が開封口となるように移動した『あけくち』４０
４１  『あけくち』４０を形成するためにカットされる部分
４２直方体形状包装パッケージ１上部、筒壁１３の開封口となる『あけくち』３を筒壁１４の面が開封口となるように移動した『あけくち』４２
４３  『あけくち』４２を形成するためにカットされる部分
４４  直方体形状包装パッケージ１上部、筒壁１３の開封口となる『あけくち』３を筒壁１２の面が開封口となるように移動した『あけくち』４４
４６  直方体形状包装パッケージ１上部、筒壁１３の開封口となる『あけくち』３を筒壁１４の面が開封口となるように移動した『あけくち』４６
５０  『あけくち』３より開封を円滑に、途中で切れること無く、見た目も美しく均等に開封するため、『あけくち』３の場合に設けるプラスチック製もしくはビニール製のシート状のテープ
５１  『あけくち』４０より開封を円滑に、途中で切れること無く、見た目も美しく均等に開封するため、『あけくち』４０の場合に設けるプラスチック製もしくはビニール製のシート状のテープ
５２  『あけくち』４２より開封を円滑に、途中で切れること無く、見た目も美しく均等に開封するため、『あけくち』４２の場合に設けるプラスチック製もしくはビニール製のシート状のテープ
５３  『あけくち』４４より開封を円滑に、途中で切れること無く、見た目も美しく均等に開封するため、『あけくち』４４の場合に設けるプラスチック製もしくはビニール製のシート状のテープ
５４  『あけくち』４６より開封を円滑に、途中で切れること無く、見た目も美しく均等に開封するため、『あけくち』４６の場合に設けるプラスチック製もしくはビニール製のシート状のテープ【００４７】  Ａ，Ｂ，Ｃ，Ｄ，Ｅ，Ｆ，Ｇ，Ｈ，Ｉ，Ｊ，Ｋ，Ｌ，Ｍ，Ｎ，Ｏ，Ｐ，Ｑ，Ｒ，Ｓ，Ｔ，Ｕ，Ｖ  すべて折線を表し、谷折りとなる。Ｗ１，Ｗ２，Ｘ１，Ｘ２，Ｙ１，Ｙ２，Ｚ１，Ｚ２  すべて折線を表し、山折りとなる。【００４８】  Ａ′，Ｂ′，Ｃ′，Ｄ′，Ｅ′，Ｆ′，Ｇ′，Ｈ′，Ｉ′，Ｊ′，Ｋ′，Ｌ′，Ｍ′，Ｎ′，Ｏ′，Ｐ′，Ｑ′，Ｒ′，Ｓ′，Ｔ′，Ｕ′，Ｖ′  すべて折線を表し、山折りとなる。Ｗ′１，Ｗ′２，Ｘ′１，Ｘ′２，Ｙ′１，Ｙ′２，Ｚ′１，Ｚ′２  すべて折線を表し、谷折りとなる。【００４９】  ａ，ｂ，ｃ，ｄ，ｅ，ｆ，ｇ，ｈ，ｉ，ｊ，ｋ，ｌ，ｍ，ｎ，ｏ，ｐ，ｑ，ｒ，ｓ，ｔ，ｕ，ｖ  すべて折線を表し、谷折りとなる。ｗ１，ｗ２，ｘ１，ｘ２，ｙ１，ｙ２，ｚ１，ｚ２  すべて折線を表し、山折りとなる。【００５０】  ａ′，ｂ′，ｃ′，ｄ′，ｅ′，ｆ′，ｇ′，ｈ′，ｉ′，ｊ′，ｋ′，ｌ′，ｍ′，ｎ′，ｏ′，ｐ′，ｑ′，ｒ′，ｓ′，ｔ′，ｕ′，ｖ′  すべて折線を表し、山折りとなる。ｗ′１，ｗ′２，ｘ′１，ｘ′２，ｙ′１，ｙ′２、ｚ′１，ｚ′２  すべて折線を表し、谷折りとなる。【００５１】  図２に示す筒壁１１のｇ      ｇ′の裏側部分【００５２】  図６に示す筒壁１１のｇ′  筒壁１１と接着片１５を貼り合わせる際、のりしろ境界部分で、ｇ′まで接着。図６に示す接着片１５の裏面端と、ｇ′の境界部分を合わせる。【００５３】  図１０、図１５に示す筒壁１１のＧ      Ｇ′の裏側部分【００５４】  図１１、図１６に示す筒壁１１のＧ′  筒壁１１と接着片１５を貼り合わせる際、のりしろ境界部分で、Ｇ′まで接着。図１６に示す接着片１５の裏面端と、Ｇ′の境界部分を合わせる。
【手続補正２】
【補正対象書類名】特許請求の範囲
【補正対象項目名】全文
【補正方法】変更
【補正の内容】
【特許請求の範囲】
【請求項１】
個別包装タイプの製品を、複数個直列に収納して構成される包装体の直方体形状包装パッケージにおいて、直方体形状包装パッケージを縦方向へ縦断し、取り出したい個数分のみ『あけくち』を引っ張り、めくりながら移動して行なう開封方法。
【請求項２】
直方体形状包装パッケージにおいて、内部の製品の並びに沿って縦方向、すなわち直方体形状包装パッケージを縦方向へ縦断しながら開封するための、開封方法に係る『あけくち』の構造、位置、形状、方法等。
【請求項３】
直方体形状包装パッケージ内部から製品を取り出す際に使用中の『あけくち』において、直方体形状包装パッケージ内部に残っている個別包装されたブロック型形状の製品底部と直方体形状包装パッケージ内側との隙間へ巻き込むことにより、内部に残された製品の拡散を防ぐことができるストッパー機能。
【手続補正３】
【補正対象書類名】図面
【補正対象項目名】全図
【補正方法】変更
【補正の内容】
【図１】
2012096848.tif 000001
【図２】
2012096848.tif 000002
【図３】
2012096848.tif 000003
【図４】
2012096848.tif 000004
【図５】
2012096848.tif 000005
【図６】
2012096848.tif 000006
【図７】
2012096848.tif 000007
【図８】
2012096848.tif 000008
【図９】
2012096848.tif 000009
【図１０】
2012096848.tif 000010
【図１１】
2012096848.tif 000011
【図１２】
2012096848.tif 000012
【図１３】
2012096848.tif 000013
【図１４】
2012096848.tif 000014
【図１５】
2012096848.tif 000015
【図１６】
2012096848.tif 000016
【図１７】
2012096848.tif 000017
【図１８】
2012096848.tif 000018
【図１９】
2012096848.tif 000019
【図２０】
2012096848.tif 000020
【図２１】
2012096848.tif 000021
【図２２】
2012096848.tif 000022
【図２３】
2012096848.tif 000023
【図２４】
2012096848.tif 000024
【図２５】
2012096848.tif 000025
【図２６】
2012096848.tif 000026
【図２７】
2012096848.tif 000027
【図２８】
2012096848.tif 000028